(57)【特許請求の範囲】
【請求項１】
絶縁体からなる筒状部材の内面に長手方向かつ対向して、多数の素線からなる少なくとも一対の電極線が配置されたコードスイッチの端末処理方法において、上記電極線の端末がばらけないように、上記電極線の端末の近傍にトーチを設け、上記電極線にそれぞれアース線を接続すると共に該アース線を絶縁性保持部材で保持し、切換スイッチでそれぞれ個別に電極線を接地させ、それらトーチと電極線との間に高電圧を印加してアークを発生させるマイクロアーク溶接にて接地された電極線の端末の素線同士を溶着させることを特徴とするコードスイッチの端末処理方法。
【請求項２】
絶縁体からなる筒状部材の内面に長手方向かつ対向して、多数の素線からなる少なくとも一対の電極線が配置されたコードスイッチの端末処理方法において、上記電極線の端末がばらけないように、金属板に適宜間隔を隔てて略平行に切欠溝を複数列形成した櫛形アース電極板を用い、該櫛形アース電極板を各電極線が上記切欠溝に挿入されるように差し込むことで上記電極線を一括して接地させ、上記電極線の近傍にトーチを順次移動させると共に、それらトーチと電極線との間に高電圧を印加してアークを発生させるマイクロアーク溶接にて各電極線の素線同士を溶着させることを特徴とするコードスイッチの端末処理方法。
【請求項３】
上記電極線が上記切欠溝に挿入されて取り囲まれるように、他の櫛形アース電極板を異なる方向から差し込む請求項２に記載のコードスイッチの端末処理方法。
【請求項４】
絶縁体からなる筒状部材の内面に長手方向かつ対向して、多数の素線からなる少なくとも一対の電極線が配置されたコードスイッチの端末処理方法において、上記電極線の端末がばらけないように、幹部と、該幹部の短手方向に移動自在にかつ該幹部の長手方向と略直角方向に適宜間隔を隔てて保持された複数の枝部とを有する略Ｅ字形状のアース板を用い、該アース板を各電極線間に上記幹部が挿入されるように差し込み、その枝部を移動させ上記電極線に接触させて上記電極線を一括して接地させ、上記電極線の近傍にトーチを順次移動させると共に、それらトーチと電極線との間に高電圧を印加してアークを発生させるマイクロアーク溶接にて各電極線の素線同士を溶着させることを特徴とするコードスイッチの端末処理方法。
【請求項５】
上記電極線が上記枝部に取り囲まれるように、他のアース板を異なる方向から差し込む請求項４に記載のコードスイッチの端末処理方法。
【発明の詳細な説明】
【０００１】
【発明の属する技術分野】
本発明は、押圧がかかると作動するコードスイッチの端末処理方法に係り、特に電極線の端末がばらけないように端末固め処理を行うコードスイッチの端末処理方法に関するものである。
【０００２】
【従来の技術】
一般に、コードスイッチは、弾性を有する筒状の絶縁性被覆材と、この絶縁性被覆材の内面に長手方向かつ対向して、多数本の素線がらせん状に撚り合わされ導電性被覆材で被覆された一対又は二対の電極線とで主に構成されており、電極線の端末部同士が接続されるか、または端末部にリード線や抵抗器が接続される。
【０００３】
このコードスイッチの電極線の端末部を接続するに際しては、図７に示すように、電極線１の端末部分の導電性被覆材２を剥き、裸線とされるが、コードスイッチの先端部分の導電性被覆材２を剥いた時に、電極線１の撚り合わされていた素線１ａがばらけてしまい、素線１ａの全てが接続されなかったり、素線１ａがはぐれてしまい回路が短絡する虞があるため、ばらけ防止のため端末処理が施されている。
【０００４】
従来の端末処理方法としては、電極線１の裸線部分を手または捩り機を用いて捩る方法や、電極線１の裸線部分を溶融はんだ、溶融金属、または、溶融金属合金めっき槽に浸漬させて、多数の素線１ａを一体化させる方法が知られている。
【０００５】
また、これ以外の方法としては、電極線１の端末をレーザ照射することによって溶解させ、素線１ａ同士を溶着させる方法が、特願平１０−４４５５５号公報に開示されている。
【０００６】
【発明が解決しようとする課題】
しかしながら、手または捩り機を用いて捩る方法は、長時間を要してしまい、捩り機を用いる方法にあっては、電極線１が複数本ある場合、捩った電極線１同士が接触しないように曲げる必要があり、さらにこの曲げを戻した時に素線１ａがばらけるという問題がある。
【０００７】
また、裸線部分を溶融はんだ、溶融金属、または、溶融金属合金めっき槽に浸漬させる方法は、溶融金属めっき槽に浸漬する際に、電極線１にフラックスを塗り、濡れ性を向上させて浸漬時間を短くしているが、それでも電極線１の予熱や、浸漬中に導電性被覆材２が熱により劣化する問題を生じ、さらにフラックスによる腐食の問題も生じてくる。
【０００８】
また、特願平１０−４４５５５号公報に示された方法は、絶縁体ごとレーザ照射されるため、絶縁体の燃えカスが電極線に付着し、後工程の接続時に接触抵抗が上昇し、溶接の信頼性にばらつきを生じる問題がある。
【０００９】
そこで、本発明の目的は、電極線を劣化させることなく、短時間で確実に固めることできる信頼性の高いコードスイッチの端末処理方法を提供することにある。
【００１０】
【課題を解決するための手段】
上記課題を解決するために請求項１の発明は、絶縁体からなる筒状部材の内面に長手方向かつ対向して、多数の素線からなる少なくとも一対の電極線が配置されたコードスイッチの端末処理方法において、上記電極線の端末がばらけないように、上記電極線の端末の近傍にトーチを設け、上記電極線にそれぞれアース線を接続すると共に該アース線を絶縁性保持部材で保持し、切換スイッチでそれぞれ個別に電極線を接地させ、それらトーチと電極線との間に高電圧を印加してアークを発生させるマイクロアーク溶接にて接地された電極線の端末の素線同士を溶着させる方法である。
【００１１】
請求項２の発明は、絶縁体からなる筒状部材の内面に長手方向かつ対向して、多数の素線からなる少なくとも一対の電極線が配置されたコードスイッチの端末処理方法において、上記電極線の端末がばらけないように、金属板に適宜間隔を隔てて略平行に切欠溝を複数列形成した櫛形アース電極板を用い、該櫛形アース電極板を各電極線が上記切欠溝に挿入されるように差し込むことで上記電極線を一括して接地させ、上記電極線の近傍にトーチを順次移動させると共に、それらトーチと電極線との間に高電圧を印加してアークを発生させるマイクロアーク溶接にて各電極線の素線同士を溶着させる方法である。
【００１２】
請求項３の発明は、上記電極線が上記切欠溝に挿入されて取り囲まれるように、他の櫛形アース電極板を異なる方向から差し込む方法である。
【００１３】
請求項４の発明は、絶縁体からなる筒状部材の内面に長手方向かつ対向して、多数の素線からなる少なくとも一対の電極線が配置されたコードスイッチの端末処理方法において、上記電極線の端末がばらけないように、幹部と、該幹部の短手方向に移動自在にかつ該幹部の長手方向と略直角方向に適宜間隔を隔てて保持された複数の枝部とを有する略Ｅ字形状のアース板を用い、該アース板を各電極線間に上記幹部が挿入されるように差し込み、その枝部を移動させ上記電極線に接触させて上記電極線を一括して接地させ、上記電極線の近傍にトーチを順次移動させると共に、それらトーチと電極線との間に高電圧を印加してアークを発生させるマイクロアーク溶接にて各電極線の素線同士を溶着させる方法である。
【００１４】
請求項５の発明は、上記電極線が上記枝部に取り囲まれるように、他のアース板を異なる方向から差し込む方法である。
【００１５】
すなわち本発明の要旨は、図８に示すように、電極線１にアース線８を接続すると共にその電極線１の端末の近傍にトーチ７を設け、トーチ７と電極線１との間に高電圧を印加してアークを発生させるマイクロアーク溶接により、コードスイッチ１０の端末の電極線１がばらけないように、端末が固められた処理済み電極線６を形成する端末線固め処理を行うことにある。さらに、アース線８と各電極線１との間の一条毎にスイッチング機構を設けることにより、トーチ７を動かすことなく、電極線端末それぞれにアークを発生させ、導体端末を溶融させて導体一条毎に一括に固めることにある。
【００１６】
上記請求項１の構成によれば、アース線が接続された電極線にトーチからアークが飛んで端末が溶融する。他の電極線の端末を溶接する際には、トーチを移動することなく、スイッチング機構により接地させる電極線を切り換えた後、高電圧を印加する。
【００１７】
上記請求項２の構成によれば、いずれかの櫛形アース電極板の切欠溝により確実に全ての電極線が接地される。
【００１８】
上記請求項３の構成によれば、いずれかのアース板により確実に全ての電極線が接地される。
【００１９】
上記請求項４の構成によれば、上記枝部が電極線間に入り込み各電極線と接触する。
【００２０】
上記請求項５の構成によれば、いずれかのアース板により確実に全ての電極線が接地される。
【００２１】
【発明の実施の形態】
次に、本発明の好適一実施の形態を添付図面に基づいて詳述する。
【００２２】
本実施の形態では、筒状の絶縁性被覆材の内面に、長手方向かつ対向して２対の電極線が配置されたコードスイッチに適用した場合について説明する。
【００２３】
この電極線としては、多数の素線がらせん状に撚られたものか又はそれらの素線上に導電性材料が被覆されたものが用いられる。
【００２４】
図１（ａ）に本発明の一実施の形態の概略図を示す。
【００２５】
図１（ａ）に示すように、本実施の形態は、コードスイッチ１０の一方の端末の近傍に、この端末と対向させて１本のトーチ９が設けられ、さらに、そのコードスイッチ１０の他方の端末の電極線１ａ〜１ｄにそれぞれアース線１１ａ〜１１ｄが絶縁性保持部材１２，１３に保持されて接続されている。
【００２６】
これら４本のアース線１１ａ〜１１ｄと直接接地されたアース線１５との間には、それぞれ接続すべきアース線１１ａ〜１１ｄを切り換えるスイッチング機構２０が設けられている。
【００２７】
また、図２に示すように、それぞれ電極線１に一条毎に独立したアース線１ａ〜１ｄを接続できるように、電極線１を２本ずつに分けてそれらの間に挟み込ませる絶縁性保持部材１３と、さらに外側から電極線１ａ〜１ｄを挟み込む絶縁性保持部材１２とが設けられ、これら外側の絶縁性保持部材１２には各電極線１ａ〜１ｄを包み込む収容溝１２ｇが形成されていると共に、各収容溝１２ｇにそれぞれ上述したアース線１１ａ〜１１ｄが設けられたアース接続機構を有する。
【００２８】
次に、マイクロアーク溶接による端末処理方法を説明する。
【００２９】
所望の電極線１ａ〜１ｄに端末処理を施す際には、図１（ａ）に示したように、スイッチング機構２０により、いずれかの電極線１ａ〜１ｄを、それぞれに接続されたアース線１１ａ〜１１ｄを切り換えて、接地されたアース線１５と接続し、トーチ９と電極線１ａ〜１ｄとの間に高電圧を印加する。
【００３０】
接地された電極線１ａ〜１ｄには、トーチ９からアークＡが飛んで端末（素線）が溶融し、短時間で導体端末が溶融して素線同士が一括に固まる。
【００３１】
また、他の電極線１ａ〜１ｄの端末を溶接する際には、図１（ｂ）に示すように、トーチ９を移動することなく、スイッチング機構２０により、接地されたアース線１５と接続させる電極線１ａ〜１ｄを切り換えた後、高電圧を印加する。
【００３２】
このように、アース線１１ａ〜１１ｄにスイッチング機構２０を設けることによって、トーチ９の位置をアークＡを飛ばす毎に移動させる必要がなく、確実に各電極線１ａ〜１ｄの端末にアークＡを飛ばすことが可能になる。
【００３３】
また、少ない工数で多数の電極線端末を処理できる。
【００３４】
さらに、本方法は、トーチ９を位置決めする機構を設けなくても良く、簡単な機構で電極線導体端末処理が可能である。
【００３５】
また、図１（ａ）の実施の形態の変形例としては、アークを飛ばす側の端末部分の電極線１の直前（コードスイッチ本体から露出した電極線１の根本部分）にアース線１１ａ〜１１ｄを接続する方法もある。
【００３６】
この方法により、アース線１１ａ〜１１ｄによって電極線１ａ〜１ｄに発生する熱を放熱することができるため、アース線１１ａ〜１１ｄを接続する位置によって導体端末の溶ける量を制御でき、先端に形成される金属溶融部の玉の大きさを制御することが可能になる。
【００３７】
次に、本発明の他の実施の形態について詳述する。
【００３８】
図３に他の実施の形態の概略図を示す。
【００３９】
図３に示すように、本実施の形態は、コードスイッチ１０の一方の端末の近傍に、１本のトーチ７が移動自在に設けられ、さらに、コードスイッチ本体から露出した電極線１ａ〜１ｄの根本部分に、これら電極線１を一括して接地させる２枚の櫛形アース電極板２１，２３からなるアース接続端子が接続されている。
【００４０】
一方の櫛形アース電極板２１は、図４（ａ）に示すように、金属板に電極線１と同じ間隔で略平行に２本の切欠溝２２が形成されたものであり、アース線２５が接続されている。また、他方の櫛形アース電極板２３は、同様に、金属板に電極線１と同じ間隔で略平行に２本の切欠溝２４が形成されており、アース線２５が接続されていない。
【００４１】
これらの櫛形アース電極板２１，２３を用いてマイクロアーク溶接により端末処理するに際しては、図４（ｂ）に示すように、２枚の櫛形アース電極板２１，２３をお互いに直角方向（９０度）から各電極線１が切欠溝２２，２４に挿入されるように差し込んで重ね合わせる。
【００４２】
これにより、電極線１が金属板に取り囲まれていずれかの櫛形アース電極板２１，２３に接触し、確実に接地される。
【００４３】
そして、図３に示したように、トーチ７を所望の電極線１の真上もしくは他の電極線１にアークＡが飛ばない位置に配置して、トーチ７と電極線１との間に高電圧を印加してアークＡを発生させる。
【００４４】
また、他の電極線１にアークＡを飛ばすためには、トーチ７を別の狙った電極線１の真上もしくは他の電極線１にアークＡが飛ばない位置に配置すれば良い。これを順次繰り返し、全ての電極線１の端末にアークＡを飛ばす。
【００４５】
このように、電極線１を一括して接地できるアース接続端子を用いることにより、アークＡを飛ばす毎にアース接続位置を移動させる必要がなくなり、トーチ７を動かすことによって全ての電極線１の端末に確実にアークＡを飛ばすことが可能になる。
【００４６】
このようにしてアークＡが飛ばされた電極線１の端末は溶融して玉１ｙが形成されて一括に固められる。
【００４７】
また、端末を溶融させる際にアークＡにより発生する熱が電極線１毎に異なるが、それらの熱は櫛形アース電極板２１，２３との接触部分から放熱されるため、その接触部分で溶融が止まる。
【００４８】
これにより、図６に示すように、処理済み電極線６の長さを一定にすることができる。
【００４９】
ここで、上述したアース接続端子は、図４に示したものに限定されるものではなく、同時に全部の電極線１に接続可能なアース構造を持つものであれば良い。
【００５０】
例えば、図５に示すように、アース接続端子として、ほぼＥ字形状のアース板３１を用いてアースを取る方法もある。
【００５１】
このアース板３１は、幹部３２と、この幹部３２の長手方向に移動自在にかつほぼ直角に電極線１と同じ間隔で保持された２本の枝部３３と、アース線３５とを有する。
【００５２】
このアース板３１を用いてマイクロアーク溶接により端末処理するに際しては、図５（ｂ）に示すように、各電極線１が枝部３３に取り囲まれるように、２枚のアース板３１をお互いに直角方向（９０度）から差し込む。そして、それらの枝部３３を移動させて電極線１に接触させる。
【００５３】
このように枝部３３を移動可能に設けることにより、様々な外径の電極線１を接地することが可能になる。
【００５４】
そして、同様に、トーチ７を所望の電極線１の真上もしくは他の電極線１にアークＡが飛ばない位置に配置して、トーチ７と電極線１との間に高電圧を印加してアークＡを発生させる。
【００５５】
また、他の電極線１にアークＡを飛ばすためには、同様に、トーチ７を別の狙った電極線１の真上もしくは他の電極線１にアークＡが飛ばない位置に配置すれば良い。
【００５６】
これを繰り返し、全ての電極線１の端末にアークＡを飛ばすことにより、それぞれの電極線１の端末を処理する毎にアース線３５を接続し直す必要がなくなり、少ない工数で全ての端末を処理できる。
【００５７】
尚、図４、図５に示した実施の形態では、それぞれ２つのアース板を直角な２方向から電極１間に差し込むようにしたが、３つ以上のアース板を異なる方向から差し込んで、より確実に電極線と接触するようにしても良いことは言うまでもない。
【００５８】
さらに、アース接続端子として、図４に示した櫛形アース電極板２１と図５に示したＥ字形アース板３１とを用い、これらをお互いに直角方向（９０度）から差し込んで重ね合わせ、枝部３３を移動して電極線１に接触させても良い。
【００５９】
【発明の効果】
以上要するに本発明によれば、端末処理の工数が少なく済み、端末処理に掛かる時間を大幅に短くすることができる。
【００６０】
また、金属的に確実な導体端末処理が行えるので、接続不良を大幅に減らすことができ、信頼性の高いコードスイッチを提供できる。
【図面の簡単な説明】
【図１】  本発明の一実施の形態を示すコードスイッチの端末処理方法の説明図である。
【図２】  図１のコードスイッチの電極線とアース線との接続部分の拡大図である。
【図３】  本発明の他の実施の形態を示すコードスイッチの端末処理方法の説明図である。
【図４】  図３のコードスイッチに接続されるアース接続端子の接続方法を説明するための図である。
【図５】  本発明の他の実施の形態を示すコードスイッチの端末処理方法の説明図である。
【図６】  本発明により端末処理されたコードスイッチの端末の拡大図である。
【図７】  電極線の端末の拡大図である。
【図８】  マイクロアーク溶接によるコードスイッチの端末処理方法の説明図である。
【符号の説明】
１ａ〜１ｄ  電極線
９  アーク発生トーチ
１０  コードスイッチ
１１ａ〜１１ｄ  アース線
１５  アース線
２０  スイッチング機構
【図１】
0004000909.tif 000002
【図２】
0004000909.tif 000003
【図３】
0004000909.tif 000004
【図４】
0004000909.tif 000005
【図５】
0004000909.tif 000006
【図６】
0004000909.tif 000007
【図７】
0004000909.tif 000008
【図８】
0004000909.tif 000009